(57)【要約】      （修正有）【課題】地震や火災等の災害発生時に、被災者等のためにできる限り速やかに建設できる速成仮設住宅を提供する。【解決手段】枠体内に筋かいを備えるとともに、その両面に板を接合したパネルどうしをベルト又はタスキで折りたたみ自在に連結し、この折りたたんで運搬されたパネルを広げて、屋根部と柱部と床部ｅ，ｅ’と側面部ｄ，ｄ’と天井部ｃ，ｃ’に用いることとし、パネルに設けられたさし込み孔Ｈに基礎ボルトＫＢ又は固定ボルトＢｏを嵌め込み，前後左右のパネルを圧着結合させて作ったことを特徴とする。【選択図】図４−１
0003190547.tif 000002
【実用新案登録請求の範囲】
【請求項１】
枠体（イ）内に筋かい（口）を備えるとともに、その両面に板（ハ）（ニ）を接合したパネル（Ｐ）どうしをベルト（Ｂｅ）又はタスキ（Ｔ）で折りたたみ自在に連結し、この折りたたんで運搬されたパネル（Ｐ）を広げて、屋根部（ａ）（ａ’）と柱部（Ｂ）と床部（ｅ）（ｅ’）と側面部（ｄ）（ｄ’）と天井部（ｃ）（ｃ’）に用いることとし、パネル（Ｐ）に設けられたさし込み孔（Ｈ）に基礎ボルト（ＫＢ）又は固定ボルト（Ｂｏ）を嵌め込み，前後左右のパネル（Ｐ）を圧着結合させて作ったことを特徴とする速成仮設住宅。
【請求項２】
パネル（Ｐ）内に保温材を満たしたことを特徴とする請求項１記載の速成仮設住宅。
【考案の詳細な説明】
【技術分野】
【０００１】
本願考案は、速成の仮設住宅（速成仮設住宅）に関するものである。
【背景技術】
【０００２】
地震や火災等の災害発生時には、被災者等のためにできる限り速やかに仮設住宅を建設することが必要になってくる。
【０００３】
例えば、特許文献１は、簡素な構造で、強度や耐久性を向上させることができ、部品点数を増やすことなく、災害などの緊急必要時に、短時間で容易に組立てて、直ちに使用することができ、組立作業性、緊急対応性に優れ、コンパクトでありながら十分な生活空間を確保することができ、中長期間使用しても快適に過ごすことができる機能性に優れた早期設置型仮設住宅を提供するものである。
特許文献１の具体的構造は、下部構造体と上部壁部と突出構造体と天井部で形成される居住部と、居住部の外方に突出して着脱自在に連設され移動時に分解されて下部構造体の中空部に収容される増設部と、を備えたものである。
【先行技術文献】
【特許文献】
【０００４】
【特許文献１】特開２０１３−３６３２５号公報
【考案の概要】
【考案が解決しようとする課題】
【０００５】
本願考案者は、特許文献１などの従来の仮設住宅とは全く異なる技術思想で、速やかに仮設住宅を建設できる速成仮設住宅の提供を目的として、鋭意研究・開発の末に本願考案の完成に至った。
【課題を解決するための手段】
【０００６】
本願考案の第１の考案は、枠体（イ）内に筋かい（口）を備えるとともに、その両面に板（ハ）（ニ）を接合したパネル（Ｐ）どうしをベルト（Ｂｅ）又はタスキ（Ｔ）で折りたたみ自在に連結し、この折りたたんで運搬されたパネル（Ｐ）を広げて、屋根部（ａ）（ａ’）と柱部（Ｂ）と床部（ｅ）（ｅ’）と側面部（ｄ）（ｄ’）と天井部（ｃ）（ｃ’）に用いることとし、パネル（Ｐ）に設けられたさし込み孔（Ｈ）に基礎ボルト（ＫＢ）又は固定ボルト（Ｂｏ）を嵌め込み，前後左右のパネル（Ｐ）を圧着結合させて作ったことを特徴とする速成仮設住宅である。
第２の考案は、パネル（Ｐ）内に保温材を満たしたことを特徴とする同速成仮設住宅である。
【考案の効果】
【０００７】
上記する本願考案によれば、地震や火災等の災害発生時には、被災者等のためにできる限り速やかに仮設住宅を建設することができる。
【図面の簡単な説明】
【０００８】
【図１】第一図はパネル（Ｐ）の略図。
【図２】第二図はパネル（Ｐ）の端をベルト（Ｂｅ）でつないだ略図。
【図３】第三図は接続金具（タスキ）（Ｔ）をパネル（Ｐ）の両端につけた略図。
【図４−１】第四図（１）はパネル（Ｐ）の枠の構造を示す略図。
【図４−２】第四図（２）はパネル（Ｐ）を平面に広げてつないだ略図。
【図５】第五図はパネル（Ｐ）の枠の組合せを断面で表した説明図。
【図６】第六図は組立てた住宅の屋根と内部の構造を表した略図（１は正面図、２は平面図，３は側面図）。
【考案を実施するための形態】
【０００９】
図１乃至図６により考案の実施形態を説明する。
図１（第一図）はパネル（Ｐ）の略図である。
枠（イ）内に筋かい（口）、両面に板（ハ）（ニ）を接合して、パネル（Ｐ）を作る。  これを屋根部（ａ）（ａ’）及び柱部（ｂ），床部（ｅ）（ｅ’），側面部（ｄ）（ｄ’）、天井（ｃ）（ｃ’）に用いる。各々のパネル（Ｐ）は、折りたたみ自在になる様に、端にベルト（Ｂｅ）を取付けるか，パネル（Ｐ）の両端に接続金具（通称タスキ）（Ｔ）を取付ける。
【００１０】
図２（第二図）はパネル（Ｐ）の端をベルト（Ｂｅ）でつないだ図であり，イはたたんだ時、ロは広げた時の状態を表している。
【００１１】
図３（第三図）は、接続金具（タスキ）（Ｔ）を、パネル（Ｐ）の両端につけた略図であり，イはたたんだ時、ロは広げたときの状態を表している。
【００１２】
図４−１（第四図（１））はパネル（Ｐ）の枠の構造を示す。
各パネル（Ｐ）の枠には、適当な間隔で、固定ボルト（Ｂｏ）と、これに対応するさし込み孔（Ｈ）を設け、パネル（Ｐ）を広げた時、オス，メスの関係の，両者をさし込み、ナット（Ｎ）でしめつけて、次々にパネル（Ｐ）を、圧着し，組立てて行く。
【００１３】
図４−２（第四図（２））は各パネル（Ｐ）を平面に並べて、結んだ略図である。
（ｂ）は柱部、（Ｍ）は棟部，（ｅ）（ｅ’）は床部，（ｄ）（ｄ’）は側面部，（ｃ）（ｃ’）は天井部のパネル，（Ｉ）（ＩＩ）（ＩＩＩ）（ＩＶ）は、各パネル（Ｐ）の数であり，（ｘ）（ｙ）（ｚ）、（ｘ’）（ｙ’）（ｚ’）は、各パネル（Ｐ）の接続部である。
【００１４】
図５（第五図）は、パネル（Ｐ）の組合せを、断面で表した説明図である。
パネル（Ｐ）到着前に、基礎工事を行って置き、到着時、床部（ｅ）（ｅ’）及び柱部（ｂ）に設けた孔（Ｈ）に、基礎ボルト（ＫＢ）をさし込み，ナット（Ｎ）でしめつけて、床と柱を、基礎に固定する、その後次々とパネル（Ｐ）を広げて固定し，後に，屋根部（ａ）（ａ’）を広げてかぶせ、固定して住宅を形成する。
【００１５】
図６（第六図）は速成仮設住宅の屋根と内部の構造を表した略図である。
１は正面図，２は平面図，３は側面図であり、一部分設備等を配置した略図である。
（Ｐ）はパネル，（ａ）（ａ’）は屋根部，（ｂ）は柱部、（Ｍ）は棟，（ド）はドアー、（ヒ）は引戸，（キ）は基礎、（ハ）はハンガー、（オシ）は押入、（フロ）は風呂、（セタ）は洗濯機、（セン）は洗面所、（レイ）は冷蔵庫，（キツ）はキッチン、（コン）はコンロ，（シロ）はシロッコファン、（タ）は棚、（マ）窓を示す。
【産業上の利用可能性】
【００１６】
本願考案は、速成仮設住宅の建設技術として、幅広く利用できるものである。
【図１】
0003190547.tif 000003
【図２】
0003190547.tif 000004
【図３】
0003190547.tif 000005
【図４−１】
0003190547.tif 000006
【図４−２】
0003190547.tif 000007
【図５】
0003190547.tif 000008
【図６】
0003190547.tif 000009